(57)【要約】  【課題】燃料タンクに設けられたレベルゲージの油面を化粧カバーの覗き窓から容易に視認できるようにする。  【解決手段】燃料タンク１９の側板部２３の一部を外側へレール状に膨出させ、この膨出部２４に油量を確認するためのレベルゲージ２５を設ける。燃料タンク１９の外側を覆う化粧カバー２０にレベルゲージ２５に対応して覗き窓２１を設ける。レベルゲージ２５が膨出部２４に設けられているため、レベルゲージ２５が覗き窓２１に接近して、覗き窓２１を通してレベルゲージ２５の油面の視認が容易となる。【選択図】図２
2006321294.tif 000002
【特許請求の範囲】
【請求項１】
燃料タンクの一側面に油量を確認するためのレベルゲージを設け、燃料タンクの外側を覆う化粧カバーに前記レベルゲージに対応して覗き窓を設けた建設機械の燃料タンクにおいて、
前記燃料タンクの一側面を外側へ膨出させ、この膨出部に前記レベルゲージを設け、該レベルゲージを前記覗き窓に接近させたことを特徴とする建設機械の燃料タンク。
【請求項２】
上記燃料タンクは、深絞り加工によりタンク本体部と、深絞り加工を用いずに形成した側板部とから構成され、前記本体部の開口周縁部と側板部の周縁部とを密に固定し、上記膨出部は前記側板部の上下方向にレール状に延設され、かつ、断面がほぼ台形に形成されたことを特徴とする請求項１記載の建設機械の燃料タンク。
【発明の詳細な説明】
【技術分野】
【０００１】
本発明は建設機械の燃料タンクに関するものであり、特に、燃料タンクの一側面に油量を確認するためのレベルゲージを設け、燃料タンクの外側を覆う化粧カバーに前記レベルゲージに対応して覗き窓を設けた建設機械の燃料タンクに関するものである。
【背景技術】
【０００２】
油圧ショベル等の建設機械においては、上部旋回体の後部にエンジンや燃料タンク等を搭載している。燃料タンク内の油量は常に点検しておく必要があるため、燃料タンクの一側面にレベルゲージが取り付けられている（例えば、特許文献１参照）。
【０００３】
また、上部旋回体に設置された燃料タンクの外側面を化粧カバーで覆った建設機械も知られている（例えば、特許文献２参照）。
【０００４】
ここで、従来の建設機械の燃料タンクを図４および図５を用いて説明する。上部旋回体(図示せず)に搭載された燃料タンク１は本体部２と側板部３とからなり、本体部２の開口周縁部と側板部３の周縁部とを、溶接あるいは互いに巻締めして燃料容器として形成されている。そして、側板部３に燃料タンク１内の油量を確認するためのレベルゲージ４を設けている。
【０００５】
また、前記燃料タンク１は、上部旋回体の化粧カバー５により外側を覆われている。化粧カバー５には前記レベルゲージ４に対応させて覗き窓６を設け、この覗き窓６を通して、作業者が化粧カバー５の外側からレベルゲージ４を目視できるようになっている。該化粧カバー５は燃料タンク１から離間した位置に設置されている。
【特許文献１】特開平９−３０４１６０号公報
【特許文献２】特開平８−２１８４３５号公報
【発明の開示】
【発明が解決しようとする課題】
【０００６】
従来の建設機械における燃料タンクは、燃料タンクと化粧カバーとが離間しており、化粧カバーに設けた覗き窓とレベルゲージの距離が大きいため、作業者がレベルゲージの油面を視認しにくいという問題があった。
【０００７】
そこで、燃料タンクに設けられたレベルゲージの油面を化粧カバーの覗き窓から容易に視認できるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、燃料タンクの一側面に油量を確認するためのレベルゲージを設け、燃料タンクの外側を覆う化粧カバーに前記レベルゲージに対応して覗き窓を設けた建設機械の燃料タンクにおいて、前記燃料タンクの一側面を外側へ膨出させ、この膨出部に前記レベルゲージを設け、該レベルゲージを前記覗き窓に接近させたことを特徴とする建設機械の燃料タンクを提供する。
【０００９】
この構成によれば、燃料タンクに設けたレベルゲージと、化粧カバーに設けた覗き窓とが接近しているので、覗き窓を通してレベルゲージの油面の視認が容易となる。
【００１０】
請求項２記載の発明は、上記燃料タンクは、深絞り加工によりタンク本体部と、深絞り加工を用いずに形成した側板部とから構成され、前記本体部の開口周縁部と側板部の周縁部とを密に固定し、上記膨出部は前記側板部の上下方向にレール状に延設され、かつ、断面がほぼ台形に形成されたことを特徴とする請求項１記載の建設機械の燃料タンクを提供する。
【００１１】
この構成によれば、燃料タンクの一側面に設けられた膨出部が上下方向にレール上に延設されているため、側板部の補強構造になる。
【発明の効果】
【００１２】
請求項１記載の発明は、燃料タンクに設けたレベルゲージと、化粧カバーに設けた覗き窓とが接近しているので、覗き窓を通してレベルゲージの油面の視認が容易となり、燃料タンク内の油量の確認を簡単かつ正確に行うことができる。
【００１３】
請求項２記載の発明は、燃料タンクの側板部に設けられた膨出部が一側面の補強構造となり、請求項１記載の効果に加えて、強度の高い燃料タンクが得られる。
【発明を実施するための最良の形態】
【００１４】
以下、本発明に係る建設機械の燃料タンクについて、好適な実施例をあげて説明する。燃料タンクの一側面に油量を確認するためのレベルゲージを設け、燃料タンクの外側を覆う化粧カバーに前記レベルゲージに対応して覗き窓を設けた建設機械の燃料タンクにおいて、前記燃料タンクの一側面を外側へ膨出させ、この膨出部に前記レベルゲージを設け、該レベルゲージを前記覗き窓に接近させたことによって実現した。
【実施例１】
【００１５】
図１は本発明の燃料タンクを搭載した建設機械の一例である油圧ショベルの側面図である。油圧ショベル１０は、クローラ式の下部走行体１１の上に旋回機構１２を介して上部旋回体１３が水平方向に旋回自在に搭載されている。上部旋回体１３には、その前方側部にキャブ１４が設けられ、前方中央部にブーム１５，アーム１６，バケット１７をそれぞれ取り付けている。
【００１６】
また、上部旋回体１３の後部にはエンジン１８や燃料タンク１９等が搭載され、化粧カバー２０で外側が覆われている。後述するように、燃料タンク１９の一側部には燃料タンク１９内の油量を確認するためのレベルゲージが設けられ、化粧カバー２０に設けた覗き窓２１を通して、作業者が化粧カバー２０の外側から燃料タンク１９のレベルゲージを目視にて確認できるように形成されている。
【００１７】
図２は燃料タンク１９と化粧カバー２０の要部を示す斜視図、図３は横断面図である。前記燃料タンク１９は、例えば亜鉛メッキ鋼板を深絞り加工して形成された本体部２２と、亜鉛メッキ鋼板で深絞り加工を用いずに単にプレス加工により形成された側板部２３とからなり、本体部２２の開口周縁部と側板部２３の周縁部とを、溶接あるいは互いに巻締めして燃料容器として形成されている。本実施例では、前記本体部２２の開口周縁部と側板部２３の周縁部とが巻き締めにて密に固定されている。
【００１８】
前記側板部２３の左右方向の略中央位置には、外側へ膨出させた膨出部２４が設けられ、該膨出部２４は側板部２３の上下方向に連続してレール状に延設され、かつ、断面がほぼ台形に形成されている。そして、この膨出部２４の上部位置に燃料タンク１９内の油量を確認するためのレベルゲージ２５が設けられている。
【００１９】
前述したように、燃料タンク１９の外側を覆っている化粧カバー２０には、前記レベルゲージ２５に対応させた位置に覗き窓２１が設けられている。前記レベルゲージ２５が燃料タンク１９の膨出部２４に設けられているため、該レベルゲージ２５が化粧カバー２０の覗き窓２１に接近し、作業者が化粧カバー２０の覗き窓２１からレベルゲージ２５を目視して、油面の確認がきわめて容易かつ正確に行える。
【００２０】
したがって、このように燃料タンク１９を構成したことにより、レベルゲージ２５と化粧カバー２０の覗き窓２１との距離を接近させることができるので、覗き窓２１を通してレベルゲージ２５の油面の視認が容易となり、燃料タンク１９内の油量の確認を簡単かつ正確に行うことができる。また、レベルゲージ２５が設けられているレール状の膨出部２４が側板部２３の補強部分として機能するので、全体として強度の高い燃料タンク１９が得られることになる。
【００２１】
なお、上記実施例の燃料タンク１９は、本体部２２の開口周縁部と側板部２３の周縁部とを巻締めで固定する構造にしているが、溶接による固定であってもよい。また、レール状の膨出部２４は、上下端にわたって連続して設けられているが、上下方向の中間部分に設けてもよい。この場合、膨出部２４の前方への突出量を巻締め部分の高さとほぼ等しくなるように設定すれば、機械的強度を向上することができる。
【００２２】
さらに、本発明は、本発明の精神を逸脱しない限り種々の改変を為すことができ、そして、本発明が該改変されたものに及ぶことは当然である。
【図面の簡単な説明】
【００２３】
【図１】本発明に係る燃料タンクを搭載している油圧ショベルの側面図。
【図２】図１に示す燃料タンクと化粧カバーの要部を示す斜視図。
【図３】図１に示す燃料タンクと化粧カバーの要部を示す横断面図。
【図４】従来の燃料タンクと化粧カバーの斜視図。
【図５】従来の燃料タンクと化粧カバーの横断面図。
【符号の説明】
【００２４】
１９    燃料タンク
２０    化粧カバー
２１    覗き窓
２２    本体部
２３    側板部
２４    膨出部
２５    レベルゲージ
【図１】
2006321294.tif 000003
【図２】
2006321294.tif 000004
【図３】
2006321294.tif 000005
【図４】
2006321294.tif 000006
【図５】
2006321294.tif 000007